(57)【要約】【課題】  室内での存在が違和感を与えないサブウーファ用のアクティブスピーカを実現する。【解決手段】  アクティブスピーカは、頂部に植木床が収容可能な凹部（１０４）を有し、内部に内器２００（受信回路、増幅回路およびサブウーファ用スピーカ）を収容するスピーカボックス（１００）と、スピーカボックスの凹部に収容される植木床の植木（３００）に取り付け可能なアンテナ（２０２）と、アンテナを受信回路に接続する信号線（２０４）とを具備する。【選択図】      図１
2006041677.tif 000002
【特許請求の範囲】
【請求項１】
ワイヤレス通信により入力信号を受信する受信回路と、
前記受信回路の出力信号を増幅する増幅回路と、
前記増幅回路の出力信号によって駆動されるサブウーファ用スピーカと、
頂部に植木床が収容可能な凹部を有し、内部に前記受信回路、前記増幅回路および前記サブウーファ用スピーカを収容するスピーカボックスと、
前記スピーカボックスの凹部に収容される植木床の植木に取り付け可能なアンテナと、
前記アンテナを前記受信回路に接続する信号線と、
を具備することを特徴とするアクティブスピーカ。
【請求項２】
ワイヤレス通信により入力信号を受信する受信回路と、
前記受信回路の出力信号を増幅する増幅回路と、
前記増幅回路の出力信号によって駆動されるサブウーファ用スピーカと、
頂部に植木鉢が収容可能な凹部を有し、内部に前記受信回路、前記増幅回路および前記サブウーファ用スピーカを収容するスピーカボックスと、
前記スピーカボックスの凹部に収容される植木鉢の植木に取り付け可能なアンテナと、
前記アンテナを前記受信回路に接続する信号線と、
を具備することを特徴とするアクティブスピーカ。
【請求項３】
前記ワイヤレス通信が電波による通信である、
ことを特徴とする請求項１または請求項２に記載のアクティブスピーカ。
【発明の詳細な説明】
【技術分野】
【０００１】
本発明は、ワイヤレス入力信号に基づいて音響を出力するアクティブスピーカに関する。
【背景技術】
【０００２】
ワイヤレス入力信号に基づいて音響を出力するアクティブスピーカは、例えば５．１ｃｈ音響システムのコンポーネントスピーカとして用いられる。この種の音響システムは、センタースピーカを有するメインユニットと、それに従属する、前方Ｒ，Ｌチャンネル用の１対のスピーカユニット、後方Ｒ，Ｌチャンネル用の１対のスピーカユニットおよび１個のサブウーファ用スピーカユニットを備えており、センタースピーカを除く各スピーカユニットが、メインユニットからのワイヤレス入力信号に基づいて音響を出力する（例えば、特許文献１参照）。
【特許文献１】特開平２００１−１２７７１２号公報（第５頁、図１）
【発明の開示】
【発明が解決しようとする課題】
【０００３】
上記各スピーカユニットのうちサブウーファ用スピーカユニットは指向性を持たないことにより、室内のどこにでも置くことができるが、このことが逆に、室内におけるサブウーファ用スピーカユニットのすっきりした納まりを困難にする。
【０００４】
そこで、本発明の課題は、室内での存在が違和感を与えないサブウーファ用のアクティブスピーカを実現することである。
【課題を解決するための手段】
【０００５】
上記の課題を解決するための請求項１に係る発明は、ワイヤレス通信により入力信号を受信する受信回路と、前記受信回路の出力信号を増幅する増幅回路と、前記増幅回路の出力信号によって駆動されるサブウーファ用スピーカと、頂部に植木床が収容可能な凹部を有し、内部に前記受信回路、前記増幅回路および前記サブウーファ用スピーカを収容するスピーカボックスと、前記スピーカボックスの凹部に収容される植木床の植木に取り付け可能なアンテナと、前記アンテナを前記受信回路に接続する信号線と、を具備することを特徴とするアクティブスピーカである。
【０００６】
上記の課題を解決するための請求項２に係る発明は、ワイヤレス通信により入力信号を受信する受信回路と、前記受信回路の出力信号を増幅する増幅回路と、前記増幅回路の出力信号によって駆動されるサブウーファ用スピーカと、頂部に植木鉢が収容可能な凹部を有し、内部に前記受信回路、前記増幅回路および前記サブウーファ用スピーカを収容するスピーカボックスと、前記スピーカボックスの凹部に収容される植木鉢の植木に取り付け可能なアンテナと、前記アンテナを前記受信回路に接続する信号線と、を具備することを特徴とするアクティブスピーカである。
【０００７】
上記の課題を解決するための請求項３に係る発明は、前記ワイヤレス通信が電波による通信である、ことを特徴とする請求項１または請求項２に記載のアクティブスピーカである。
【発明の効果】
【０００８】
請求項１に係る発明によれば、アクティブスピーカは、ワイヤレス通信により入力信号を受信する受信回路と、前記受信回路の出力信号を増幅する増幅回路と、前記増幅回路の出力信号によって駆動されるサブウーファ用スピーカと、頂部に植木床が収容可能な凹部を有し、内部に前記受信回路、前記増幅回路および前記サブウーファ用スピーカを収容するスピーカボックスと、前記スピーカボックスの凹部に収容される植木床の植木に取り付け可能なアンテナと、前記アンテナを前記受信回路に接続する信号線とを具備するので、スピーカボックスに植木を植えて使用することができる。そのようにした場合は、室内での存在に違和感がない。
【０００９】
請求項２に係る発明によれば、アクティブスピーカが、ワイヤレス通信により入力信号を受信する受信回路と、前記受信回路の出力信号を増幅する増幅回路と、前記増幅回路の出力信号によって駆動されるサブウーファ用スピーカと、頂部に植木鉢が収容可能な凹部を有し、内部に前記受信回路、前記増幅回路および前記サブウーファ用スピーカを収容するスピーカボックスと、前記スピーカボックスの凹部に収容される植木鉢の植木に取り付け可能なアンテナと、前記アンテナを前記受信回路に接続する信号線とを具備するので、スピーカボックスに植木鉢を搭載して使用することができる。そのようにした場合は、室内での存在に違和感がない。
【００１０】
請求項３に係る発明によれば、前記ワイヤレス通信が電波による通信であるので、ワイヤレス通信を効果的に行うことができる。
【発明を実施するための最良の形態】
【００１１】
以下、図面を参照して発明を実施するための最良の形態を詳細に説明する。なお、本発明は発明を実施するための最良の形態に限定されるものではない。図１にアクティブスピーカの構成を略図によって示す。本スピーカは発明を実施するための最良の形態の一例である。本スピーカの構成によって、アクティブスピーカに関する発明を実施するための最良の形態の一例が示される。
【００１２】
同図に示すように、本スピーカは、スピーカボックス１００に内器２００を収容したものとなっている。スピーカボックス１００は側面に音響放出用の音窓１０２を有する。スピーカボックス１００は、また、頂部に凹部１０４を有し、そこに植木３００のための植木床が収容されている。
【００１３】
これによって、スピーカボックス１００は植木鉢としての機能も有する。植木３００のてっぺんまたはその近傍にアンテナ２０２が例えばクリップ等によって取り付けられ、信号線２０４によって内器２００に接続される。なお、植木が例えば蔓物のように支柱を有する場合は、アンテナ２０２は支柱に取り付けるようにしてもよい。
【００１４】
なお、スピーカボックス１００の凹部１０４には、図２に示すように、植木３００のための植木鉢４００を収容するようにしてもよい。その場合、スピーカボックス１００は植木鉢の化粧カバーとして機能する。
【００１５】
図３に、本スピーカの電気的な構成をブロック図で示す。同図に示すように、本スピーカは、アンテナ２０２から信号線２０４を通じて入力された信号を受信回路２０６で受信し、受信回路の出力信号を増幅回路２０８で増幅し、増幅回路２０８の出力信号でサブウーファ用スピーカ２１０を駆動するようになっている。受信回路２０６からサブウーファ用スピーカ２１０までのものが内器２００に相当する。
【００１６】
このような構成により、本スピーカは、図示しないメインユニットからワイヤレス通信された信号に基づいて周波数帯域が例えば２０Ｈｚ−１００Ｈｚの音響を発生する。ワイヤレス通信は電波によって行われる。なお、電波の代わりに赤外線を用いてもよい。その場合はアンテナ２０２に代えて赤外線受光器が用いられる。
【００１７】
本スピーカは、外見が植木鉢と変わらないので、室内装飾上最も効果的な場所に配置することができる。このため、本スピーカが室内に存在することによる違和感は全く生じない。
【００１８】
また、そのように配置しても、本スピーカが指向性を持たないサブウーファ用スピーカユニットであるから、音響的には何らの問題も生じない。むしろ、植木を利用してアンテナないし赤外線受光器を立てることができるので、ワイヤレス通信を障害なく行えるという利点がある。
【図面の簡単な説明】
【００１９】
【図１】本発明を実施するための最良の形態の一例のアクティブスピーカの構成を示す図である。
【図２】本発明を実施するための最良の形態の他の例のアクティブスピーカの構成を示す図である。
【図３】本発明を実施するための最良の形態の他の例のアクティブスピーカのブロック図である。
【符号の説明】
【００２０】
１００  スピーカボックス
１０２  音窓
１０４  凹部
２００  内器
２０２  アンテナ
２０４  信号線
２０６  受信回路
２０８  増幅回路
２１０  サブウーファ用スピーカ
３００  植木
４００  植木鉢
【図１】
2006041677.tif 000003
【図２】
2006041677.tif 000004
【図３】
2006041677.tif 000005